【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
回転せん断バルブアセンブリであって、
実質的に硬質で且つ実質的に平坦なステータ面と、対応するステータポートにおいて前記ステータ面と流体連通している少なくとも２本以上のステータチャネルとを画定するステータデバイスと、
１本以上のロータチャネルを画定する実質的に硬質で且つ実質的に平坦なロータ面を有するロータデバイスと、
２つ以上のロータ位置の間においてロータ−ステータ界面における前記ロータ面と前記ステータ面との間の流体密で且つ選択的な相対的回転を可能にする方式で前記ロータデバイスが回転軸周りにおいて前記ステータデバイスに回転式に装着されたときに、前記ステータ面及び前記ロータ面のうちの一方が外周縁において終結するとともに、前記ロータ面及び前記ステータ面のうちの他方が前記ステータ面及び前記ロータ面のうちの前記一方の前記外周縁を半径方向に超えて広がり、
前記外周縁の径未満であるインサート内径と、前記外周縁を上回るインサート外径とを有するインサート露出面を画定するポリマインサートデバイスであって、前記ステータ面及び前記ロータ面のうちの前記一方の前記外周縁が前記２つ以上のロータ位置間における前記相対的回転の最中に前記インサート露出面に接触するように、前記ロータ面及び前記ステータ面のうちの前記他方に画定されたインサート受入溝にプレス嵌めによって挿入されるように形成及び寸法決定されたポリマインサートデバイスと、
を備えるバルブアセンブリ。
【請求項２】
請求項１に記載のバルブアセンブリであって、
前記インサート露出面は、ドーナツ状であり、実質的に平坦である、バルブアセンブリ。
【請求項３】
請求項２に記載のバルブアセンブリであって、
前記インサート受入溝及び前記ポリマインサートデバイスは、前記実質的に平坦なインサート露出面を前記実質的に平坦なロータ面及び前記実質的に平坦なステータ面のうちの前記他方に実質的に同一平面に位置決めするように協働する、バルブアセンブリ。
【請求項４】
請求項２に記載のバルブアセンブリであって、
前記インサート受入溝の溝内径は、前記ポリマインサートデバイスのインサート内径を約０．００１インチ（およそ０．０２５４ｍｍ）から約０．００２インチ（およそ０．０５０８ｍｍ）上回る範囲であり、
前記インサート受入溝の溝外径は、前記ポリマインサートデバイスのインサート外径を約０．００５インチ（およそ０．１２７ｍｍ）から約０．０２０インチ（およそ０．５０８ｍｍ）上回る範囲である、バルブアセンブリ。
【請求項５】
請求項１に記載のバルブアセンブリであって、
前記ポリマインサートデバイスは、高圧縮強度材料で構成される、バルブアセンブリ。
【請求項６】
請求項５に記載のバルブアセンブリであって、
前記ポリマインサートデバイスは、天然ポリアリルエーテルケトン（ＰＡＥＫ）、充填ＰＡＥＫ、及びポリイミド材料のうちの１つで構成される、バルブアセンブリ。
【請求項７】
請求項５に記載のバルブアセンブリであって、
前記ステータ面及び前記ロータ面の各々は、金属材料又はセラミック材料のうちの１つで実質的に構成され、
前記バルブアセンブリは、更に、
前記ロータ面及び前記ステータ面のうちの少なくとも一方の上に配されたトライボロジコーティングを備えるバルブアセンブリ。
【請求項８】
請求項７に記載のバルブアセンブリであって、
前記トライボロジコーティングは、ダイヤモンドライクカーボンコーティング（ＤＬＣ）である、バルブアセンブリ。
【請求項９】
請求項８に記載のバルブアセンブリであって、
前記トライボロジコーティングは、前記ステータ面の上に配され、
前記インサート受入溝は、前記実質的に平坦なロータ面に画定される、バルブアセンブリ。
【請求項１０】
請求項１に記載のバルブアセンブリであって、更に、
前記実質的に平坦なロータ面を前記ステータデバイスの前記実質的に平坦なステータ面に対して実質的に平行に且つ実質的に同一平面に方向付ける方式で前記ロータデバイスと協働するコンプライアンスアセンブリを備えるバルブアセンブリ。
【請求項１１】
回転せん断バルブアセンブリであって、
外周縁において終結する実質的に硬質で且つ実質的に平坦なステータ面を画定し、更に、対応するステータポートにおいて前記ステータ面と流体連通している少なくとも２本以上のステータチャネルを画定するステータボスデバイスと、
１本以上のロータチャネルを画定する実質的に硬質で且つ実質的に平坦なロータ面を有するロータデバイスであって、前記ロータ面は、２つ以上のロータ位置の間においてロータ−ステータ界面における前記ロータ面と前記ステータ面との間の流体密で且つ選択的な相対的回転を可能にする方式で前記ロータデバイスが回転軸周りにおいて前記ステータボスデバイスに回転式に装着されたときに、前記ステータ面の前記外周縁を半径方向に超えて広がる、ロータデバイスと、
前記ロータ面及び前記ステータ面のうちの少なくとも一方の上に配されたトライボロジコーティングと、
前記外周縁の径未満であるインサート内径と、前記外周縁を上回るインサート外径とを有するインサート露出面を画定するポリマインサートデバイスであって、前記２つ以上のロータ位置間における前記相対的回転の最中に前記ステータ面の前記外周縁が前記インサート露出面に接触するように、前記ロータ面に画定されたインサート受入溝にプレス嵌めによって挿入されるように形成及び寸法決定されたポリマインサートデバイスと、
を備えるバルブアセンブリ。
【請求項１２】
請求項１１に記載のバルブアセンブリであって、
前記インサート露出面は、ドーナツ状であり、実質的に平坦である、バルブアセンブリ。
【請求項１３】
請求項１２に記載のバルブアセンブリであって、
前記インサート受入溝及び前記ポリマインサートデバイスは、前記実質的に平坦なインサート露出面を前記実質的に平坦なロータ面に実質的に同一平面に位置決めするように協働する、バルブアセンブリ。
【請求項１４】
請求項１２に記載のバルブアセンブリであって、
前記インサート受入溝の溝内径は、前記ポリマインサートデバイスのインサート内径を約０．００１インチ（およそ０．０２５４ｍｍ）から約０．００２インチ（およそ０．０５０８ｍｍ）上回る範囲である、バルブアセンブリ。
【請求項１５】
請求項１１に記載のバルブアセンブリであって、
前記ポリマインサートデバイスは、高圧縮強度材料で構成される、バルブアセンブリ。
【請求項１６】
請求項１５に記載のバルブアセンブリであって、
前記ポリマインサートデバイスは、天然ＰＡＥＫ、充填ＰＡＥＫ、及びポリイミド材料のうちの１つで構成される、バルブアセンブリ。
【請求項１７】
請求項１１に記載のバルブアセンブリであって、
前記ステータ面及び前記ロータ面の各々は、金属材料又はセラミック材料のうちの１つで実質的に構成される、バルブアセンブリ。
【請求項１８】
請求項１７に記載のバルブアセンブリであって、
前記トライボロジコーティングは、ダイヤモンドライクカーボンコーティング（ＤＬＣ）である、バルブアセンブリ。
【請求項１９】
請求項１８に記載のバルブアセンブリであって、
前記トライボロジコーティングは、前記ステータ面の上に配される、バルブアセンブリ。
【請求項２０】
請求項１１に記載のバルブアセンブリであって、更に、
前記実質的に平坦なロータ面を前記ステータボスデバイスの前記実質的に平坦なステータ面に対して実質的に平行に且つ実質的に同一平面に方向付ける方式で前記ロータデバイスと協働するコンプライアンスアセンブリを備えるバルブアセンブリ。